(57)【要約】【課題】スタンドに載せた給水タンクの前傾姿勢を複数の傾斜角度に保持することができるようにして、タンク内に残る水の量に応じて前傾姿勢を複数選択することができ、これによってほぼ最後まで効率よく給水することができる給水タンク用スタンドを提供する。【解決手段】スタンド本体２と、このスタンド本体２の上面に一端が回動可能にヒンジ結合されて水平姿勢と複数の傾斜角度の前傾姿勢をとることのできる上板３と、この上板３の一端側に取り付けられて上板３に載せられた状態の給水タンク１６のネック部１６ｂを保持するネック部保持手段４と、上板３が複数の傾斜角度の前傾姿勢をとるときにそれぞれの前傾姿勢を保持する前傾姿勢保持手段５とを備える構成とする。【選択図】図１
0003109534.tif 000002
【実用新案登録請求の範囲】
【請求項１】
スタンド本体と、このスタンド本体の上面に一端が回動可能にヒンジ結合されて水平姿勢と複数の傾斜角度の前傾姿勢をとることのできる上板と、この上板の一端側に取り付けられて上板に載せられた状態の給水タンクのネック部を保持するネック部保持手段と、上板が複数の傾斜角度の前傾姿勢をとるときにそれぞれの前傾姿勢を保持する前傾姿勢保持手段と、を備えたことを特徴とする給水タンク用スタンド。
【請求項２】
ネック部保持手段が、上板の前部に取り付けられる板状体と、この板状体の上面が切欠けられて給水タンクのネック部が装着保持される装着部とから構成されることを特徴とする請求項１の給水タンク用スタンド。
【請求項３】
前傾姿勢保持手段が、上板の他端寄りの下面を下方から支持する支持軸と、この支持軸を上下方向に案内するとともに回動自在とする上下の軸受部と、支持軸から水平方向に突出する掛止バーと、上板の前傾姿勢において掛止バーを掛け止めすることのできる掛止部を上下に複数箇所備える掛止板と、この掛止板をスタンド本体側に取り付けるブラケットとを、備えてなることを特徴とする請求項１または請求項２の給水タンク用スタンド。
【請求項４】
ブラケットがスタンド本体の補強部材を兼ねることを特徴とする請求項３の給水タンク用スタンド。
【請求項５】
ネック部保持手段の前方下方に位置し、別容器を上向き姿勢で吊り下げる吊り下げ手段を備えることを特徴とする請求項１ないし請求項４の給水タンク用スタンド。
【請求項６】
吊り下げ手段が、左右一対のネック部支持片と、両ネック部支持片を回動させる回動軸と、スタンド本体の一部に取り付けられて回動軸を回動自在に軸支する左右の軸受部と、両ネック部支持片の前端部が持ち上げられた状態で、同ネック部支持片を水平姿勢に保持するストッパーとを備えたことを特徴とする請求項５の給水タンク用スタンド。
【請求項７】
上枠部と下枠部とこれら上枠部および下枠部の四隅にそれぞれ取り付けられてなる支柱とから構成されるスタンド本体と、上枠部の上面に一端が回動可能にヒンジ結合されて水平姿勢と複数の傾斜角度の前傾姿勢をとることのできる上板と、この上板の一端側に取り付けられて上板に載せられた状態の給水タンクのネック部を保持するネック部保持手段と、上板が複数の傾斜角度の前傾姿勢をとるときにそれぞれの前傾姿勢を保持する前傾姿勢保持手段と、を備えたことを特徴とする給水タンク用スタンド。
【考案の詳細な説明】
【技術分野】
【０００１】
本考案は、給水タンク用スタンドに係り、特にスタンド上面に載せた給水タンクの前傾姿勢を保持できるようにして、ほぼ最後まで効率よく給水することができ、しかも作業を楽に安全に行うことができるようにした給水タンク用スタンドに関する。
【背景技術】
【０００２】
現在、ミネラルウォーターや温泉水などを飲料として１０リットルあるいは２０リットルをポリタンクに入れたもの、さらにはこれを箱に収容して使用時に給水コック部分を引き出して給水に供するようにしたものが市販されている。購入者は、自宅の台所等で水平な台の上に、それらポリタンクやポリタンク入りの箱を載せて、給水コックを開いて、ポリタンク内の水を取り出すようにしている。
【０００３】
この場合、ポリタンク内の水の水位が十分あるときは給水コックから水が勢いよく出るが、ポリタンク内の水が少なくなって水位が下がり、給水コックからの水の勢いが次第に弱くなると、給水に時間が掛かってしまい、特に台所仕事で忙しい主婦にとってはイライラの原因となる。このため、通常は人がポリタンクや箱を前に傾けてポリタンク内の水位を上げてやる必要がある。そうすると、給水コックから出る水の勢いが再び増し、主婦等のイライラも解消する。
【０００４】
また、水の入った重いポリタンクや箱を傾けながら同時に別容器に水を移し替えたりコップに給水することは、非常に面倒で重労働であり、特に女性、子供、高齢者にはその負担が大きく、安全面でも問題がある。
【０００５】
従来より、ポリタンクをタンク収納容器に収納し、タンク収納容器を９０度回動できるようにして、９０度の回動姿勢を維持できるようにした装置（特許文献１参照）や、タンク内の液量の減少に伴いタンクをスプリングの復元力でタンクを傾けることができるようにした装置（特許文献２参照）が提供されている。
【０００６】
【特許文献１】特開２００３−２６７５９５号公報
【特許文献２】実開平７−４０２７１号公報
【考案の開示】
【考案が解決しようとする課題】
【０００７】
しかし、特許文献１に開示された装置は、水平姿勢と垂直姿勢の２つの姿勢を変更することができるのみである。また、垂直姿勢の場合、安全上、ポリタンクが脱落するのを防止する脱落防止手段（特許文献１の図４に示す保護バンド３７）を別途に必要とする。また、特許文献２に開示された装置は、スプリングの復元力でタンクを自動的に傾斜させる構造であるので、タンクを任意の傾斜角度に設定することができず、使い勝手に劣る。
【０００８】
本考案の目的とするところは、スタンドに載せた給水タンクの前傾姿勢を複数の傾斜角度に保持することができるようにして、タンク内に残る水の量に応じて前傾姿勢を複数選択することができ、これによってほぼ最後まで効率よく給水することができる給水タンク用スタンドを提供することにある。
【０００９】
また他の目的は、簡素かつコンパクトな構造の給水タンク用スタンドを提供することにある。
【００１０】
さらに他の目的は、使い勝手に優れた多機能型の給水タンク用スタンドを提供することにある。
【課題を解決するための手段】
【００１１】
上記の課題を解決するために、本考案の請求項１に係る給水タンク用スタンドは、スタンド本体と、このスタンド本体の上面に一端が回動可能にヒンジ結合されて水平姿勢と複数の傾斜角度の前傾姿勢をとることのできる上板と、この上板の一端側に取り付けられて上板に載せられた状態の給水タンクのネック部を保持するネック部保持手段と、上板が複数の傾斜角度の前傾姿勢をとるときにそれぞれの前傾姿勢を保持する前傾姿勢保持手段と、を備えたことを特徴とする。
【００１２】
請求項１に係る給水タンク用スタンドによると、給水タンクを載せる上板について水平姿勢と複数の傾斜角度の前傾姿勢のいずれかを選択する。給水タンク内の水の水位が十分あるときは、給水タンクの姿勢は水平姿勢に保持すればよい。給水タンク内の水の水位が下がり、給水タンクの給水栓の出口から吐出する水の勢いが弱まり、水の勢いを増したいときは、上板を低い方の傾斜角度の前傾姿勢に保持して、給水タンクを前傾姿勢とする。すると、給水タンク内の水の水位が上昇し、給水タンクの給水栓の出口から吐出する水の勢いが増す。
【００１３】
このとき、上板上の給水タンクの前傾姿勢は、上板の前傾姿勢保持手段によって保持されるから、給水タンクを人の手で傾けながら給水作業を行うという面倒かつ重労働の作業から開放される。また、ネック部保持手段によって前傾姿勢の給水タンクのネック部が保持されるから、給水タンクの前傾姿勢が安定する。給水作業を楽に安全に行うことができる。
【００１４】
さらに、給水タンク内の水の水位が下がり、給水タンクの給水栓の出口から吐出する水の勢いが再び弱まり、水の勢いを増したいときは、上板を高い方の傾斜角度の前傾姿勢に保持し、給水タンクを前傾姿勢とする。すると、給水タンク内の水の水位が再び上昇し、給水タンクの給水栓の出口から吐出する水の勢いが増すようになる。
【００１５】
前傾姿勢は最大３５度までであることが望ましい。３５度以下であれば、上板上に載せた給水タンクの安定姿勢を確実なものとすることができる。
【００１６】
請求項２に係る給水タンク用スタンドは、ネック部保持手段が、上板の前部に取り付けられる板状体と、この板状体の上面が切欠けられて給水タンクのネック部が装着保持される装着部とから構成されることを特徴とする。
【００１７】
請求項２に係る給水タンク用スタンドによると、給水タンクのネック部を容易に装着保持することができる。
【００１８】
請求項３に係る給水タンク用スタンドは、前傾姿勢保持手段が、上板の他端寄りの下面を下方から支持する支持軸と、この支持軸を上下方向に案内するとともに回動自在とする上下の軸受部と、支持軸から水平方向に突出する掛止バーと、上板の前傾姿勢において掛止バーを掛け止めすることのできる掛止部を備える掛止板と、この掛止板をスタンド本体に取り付けるブラケットとを、備えてなることを特徴とする。
【００１９】
請求項３に係る給水タンク用スタンドによると、前傾姿勢保持手段を、簡単なパーツによって構成することができ、しかも、前傾姿勢の上板を下方から確実に支えることができる。
【００２０】
請求項４に係る給水タンク用スタンドは、ブラケットがスタンド本体の補強部材を兼ねることを特徴とする。
【００２１】
請求項４に係る給水タンク用スタンドによると、部品を増加することなく、スタンド本体を補強することができる。
【００２２】
請求項５に係る給水タンク用スタンドは、ネック部保持手段の前方下方に位置し、別容器を上向き姿勢で吊り下げる吊り下げ手段を備えることを特徴とする。
【００２３】
請求項５に係る給水タンク用スタンドによると、吊り下げ手段によって、給水タンク用のネック部保持手段の前方下方に、別容器を上向き姿勢で吊り下げすることができる。これにより、給水タンク内の水を、簡単な作業で、別容器（たとえば、飲料用ボトルなど）に移し換えたり、小分けすることができる。これによって、使い勝手のよい多機能型の給水タンク用スタンドを得ることができる。
【００２４】
請求項６に係る給水タンク用スタンドは、吊り下げ手段が、左右一対のネック部支持片と、両ネック部支持片を回動させる回動軸と、スタンド本体の一部に取り付けられて回動軸を回動自在に軸支する左右の軸受部と、両ネック部支持片の前端部を持ち上げて、同ネック部支持片を水平姿勢に保持するストッパーとを備えたことを特徴とする。
【００２５】
請求項６に係る給水タンク用スタンドによると、吊り下げ手段を使用するときは、両ネック部支持片の前端部を持ち上げて、ストッパーによってその水平姿勢を保持する。一方、吊り下げ手段を使用しないときは、ストッパーを外して両ネック部支持片の水平姿勢を解き、両ネック部支持片の前端部を倒す。両ネック部支持片を給水タンクからの注水作業と干渉しない位置に戻すことができる。
【００２６】
請求項７に係る給水タンク用スタンドは、上枠部と下枠部とこれら上枠部および下枠部の四隅にそれぞれ取り付けられてなる支柱とから構成されるスタンド本体と、上枠部の上面に一端が回動可能にヒンジ結合されて水平姿勢と複数の傾斜角度の前傾姿勢をとることのできる上板と、この上板の一端側に取り付けられて上板に載せられた状態の給水タンクのネック部を保持するネック部保持手段と、上板が複数の傾斜角度の前傾姿勢をとるときにそれぞれの前傾姿勢を保持する前傾姿勢保持手段とを備えたことを特徴とする。
【考案の効果】
【００２７】
本考案の給水タンク用スタンドによると、給水タンクを載せる上板を水平姿勢と複数の傾斜角度の前傾姿勢を取るようにし、また、給水タンクのネック部を保持するネック部保持手段を備えることにより、給水タンク内に残る水の量に応じて、給水タンクを複数の前傾姿勢に保持することができ、これによって、ほぼ最後まで効率よく給水することができる効果を奏する。
【００２８】
また、自ら給水タンクを傾けながら同時に給水作業をするという面倒で重労働な作業から開放され、給水作業を楽に安全に行うことができる効果を奏する。
【００２９】
また、前傾姿勢保持手段とネック部保持手段を簡素な構造で実現することができて、全体として簡素かつコンパクトな給水タンク用スタンドを得ることができる。  
【００３０】
さらに、ネック部保持手段の前方下方に別容器を吊り下げる吊り下げ手段を設けることにより、給水タンクの水を別容器に移し替えたり小分けするといった使い方ができ、使い勝手に優れた多機能型の給水タンク用スタンドを得ることができる。
【考案を実施するための最良の形態】
【００３１】
以下、本考案に係る給水タンク用スタンドについて、一の実施の形態を図１ないし図９を参照して説明する。図１から図９において、本考案に係る給水タンク用スタンド１は、スタンド本体２と、上板３と、ネック部保持部（ネック部保持手段）４と、前傾姿勢保持手段５とを備えている。
【００３２】
スタンド本体２は、上側に配置される平面視矩形状の上枠部６と、上枠部６の下側に配置される同じく平面視矩形状の下枠部７と、これら上枠部６および下枠部７の四隅に配置される４本の支柱８から構成されている。上枠部６は、中央部が大きく開口しており、対向位置に配置される前枠部分６ａおよび後枠部分６ｂと、この前枠部分６ａおよび後枠部分６ｂの間に位置して対向位置に配置される側枠部分６ｃ，６ｄとから構成されている。
【００３３】
下枠部７は、前記上枠部６と同様に、中央部が大きく開口しており、対向位置に配置される前枠部分７ａおよび後枠部分７ｂと、この前枠部分７ａおよび後枠部分７ｂの間に位置して対向位置に配置される側枠部分７ｃ，７ｄとから構成されている。この下枠部７の上面には棚板９が固定されている。上枠部６の四隅外面には、溶接等の手段によって、支柱８の上端内面が強固に取付固定されている。また、下枠部７の四隅外面には、同じく溶接等の手段によって、支柱８の下端部寄りの内面が強固に取付固定されている。
【００３４】
各支柱８の下端は下枠部７よりも下方に延びており、その先端にはキャスター支持部取付板１０が固定されている。各キャスター支持部取付板１０の下面には、キャスター支持部１１がそれぞれ取り付けられており、各キャスター支持部１１にはキャスター１２が回転自在に支持されている。前方寄りのキャスター１２には、いずれもキャスターの回り止めとなるストッパー１３が取り付けられており、ストッパー１３を軸回りに前端部および後端部をそれぞれ押し下げることで、ストッパー１３の作動とその解除ができるようになっている。
【００３５】
前記の上枠部６、下枠部７、支柱８は、いずれもステンレス等の断面Ｌ字のアングル材からなり、軽量かつ強固で錆びにくい構造とされている。
【００３６】
上板３は、給水タンクまたは給水タンク入りの収容ケースを載せるためのもので、上枠部６の上面に取り付けられて、水平姿勢と前傾姿勢を取ることができるようになっている。すなわち、この上板３の前端部には前板１４ａが立ち上がっており、この前板１４ａと上枠部６の前枠部分６ａとの間で左右一対の蝶番１５，１５を介してヒンジ結合されている。
【００３７】
前板１４ａの左右両端からは上板３の側部に沿って側板１４ｂが延びており、左右の側板１４ｂ，１４ｂの後端は上板３の後部から立ち上がる後板１４ｃにつながっている。これら前板１４ａ，側板１４ｂ，後板１４ｃは上板３を補強する。また、図７に示すように、給水タンク入りの収容ケース１７の位置ずれを防止する役目ももつ。これら上板３，前板１４ａ，側板１４ｂ，後板１４ｃはいずれも、ステンレス等の鋼材から構成されている。
【００３８】
ネック部保持部４は、図７に示すように、上板３に載せられた状態の給水タンク１６のショルダ部１６ａから続くネック部１６ｂを保持するためのもので、図２に示すように、上板３の前板１４ａの中央部に取り付けられる板状体１８と、この板状体１８の上面に開口しかつ円弧状に切欠けられて前記ネック部１６ｂを装着保持する装着部１９とから構成されている。
【００３９】
前傾保持手段５は、図３および図４に示すように、上板３の後板１４ｃ寄りの下面を下方から支持する支持軸２０と、この支持軸２０を上下方向に案内する孔２１ａ，２２ａを有するとともに支持軸２０を軸回りに回動自在とする上下の軸受板２１，２２と、上下方向に延在して前記上下の軸受板２１，２２が取り付けられる補強部材（ブラケット）２３とを備えている。この補強部材２３は、上端が上枠部６の後枠部分６ｂ内面に取付固定され、下端が下枠部７の後枠部分７ｂ内面に取付固定されている。
【００４０】
そして、支持軸２０の側面からは掛止バー２４が水平方向に延びており、一方、この掛止バー２４を下から上にかけて４箇所掛け止めすることのできる４つの掛止部２５ａ，２５ｂ，２５ｃ，２５ｄを有する掛止板２５が前記支持軸２０と相対する位置に一定距離をおいて前記補強部材２３に取付固定されている。
【００４１】
この掛止板２５の前記した掛止部２５ａ，２５ｂ，２５ｃ，２５ｄは、いずれも掛止板２５の側面に開口する切欠部からなり、下から順に第1掛止部２５ａ，第２掛止部２５ｂ，第３掛止部２５ｃ，第４掛止部２５ｄとされている。第1掛止部２５ａは上板３を水平姿勢に、第２掛止部２５ｂは上板３を傾斜角度１０度の前傾姿勢に、第３掛止部２５ｃは上板３を傾斜角度２０度の前傾姿勢に、第４掛止部２５ｄは上板３を傾斜角度２５度の前傾姿勢に、それぞれ保持する。
【００４２】
つまり、支持軸２０の掛止バー２４を４つの掛止部２５ａ，２５ｂ，２５ｃ，２５ｄに掛止させることにより、上板３の姿勢を水平姿勢から３つの傾斜角度の前傾姿勢に切り替えることができる。なお、支持軸２０の掛止バー２４の上側および下側には、支持軸２０が軸受板２１，２２から抜けるのを防ぐ抜け止め用リング２６，２６が環着固定されている。
【００４３】
以上のように構成された給水タンク用スタンド１は、さらに、図１および図５に示すように、前記ネック部保持部５の前方下方に位置する吊り下げ手段３０を備えている。この吊り下げ手段３０は、図９に示すように、別容器である飲料用ボトル３５のネック部３５ａを上向き姿勢に吊り下げ保持するもので、上板３上の給水タンク１６内の水を飲料用ボトル３５に移し替えたり、小分けすることができるようになっている。
【００４４】
すなわち、吊り下げ手段３０は、図５に示すように、飲料用ボトル３５のネック部３５ａを左右から支持する左右一対のネック部支持片３１ａ，３１ｂを有する支持部材３１と、この支持部材３１の後端部３１ｃが取付固定された回動軸３２と、この回動軸３２を回動可能に軸支する軸受板３３ａ，３３ｂとを備え、両軸受板３３ａ，３３ｂは上枠部６の前枠部分６ａの内面に取付固定されている。回動軸３２はネック部支持片３１ａ，３１ｂを軸回りに回動させるとともに、軸受板３３ａ，３３ｂは、支持部材３１の両脇に所定間隔をおいて位置し、支持部材３１が回動軸３２とともに左右に若干量だけスライドするのを許容している。
【００４５】
上枠部６の前枠部分６ａの外面には、両ネック部支持片３１ａ，３１ｂの前端部を持ち上げて、同ネック部支持片３１ａ，３１ｂを水平姿勢に保持するストッパー３４が支持部材３１の隣りに取付固定されている。このストッパー３４は、Ｌ字形状をなし、上枠部６の前枠部分６ａの外面に取り付けられる取付部３４ａと、この取付部３４ａからネック部支持片３１ｂ側に水平に延びる掛止部３４ｂとから構成されている。この掛止部３４ｂは上枠部６の前枠部分６ａとの間にネック部支持片３１ａの板厚よりも大きい隙間Ｓを形成しており、この隙間Ｓにネック部支持片３１ａを進入させることができるようになっている。
【００４６】
支持部材３１は、前記したように回動軸３２とともに、軸受板３３ａ，３３ｂ間を左右に若干量だけスライド可能とされている。このため、支持部材３１の前端部が下方を向く図５および図６の二点鎖線の状態から、支持部材３１の前端部を手で持ち上げて（図６矢印Ａ方向に回動させる）、支持部材３１のネック部支持片３１ａ，３１ｂが水平になった状態で、支持部材３１を図５矢印Ｂ方向にスライドさせて、ストッパー３４寄りのネック部支持片３１ａをストッパー３４の隙間Ｓに進入させる。これにより、図６の実線で示されるように、ストッパー３４によってネック部支持片３１ａ，３１ｂが水平姿勢に保持される。
【００４７】
支持部材３１のネック部支持片３１ａ，３１ｂ間は前方に開口するとともに所定間隔をおいて隔てられ、水平姿勢において、飲料用ボトル３５のネック部３５ａを上向き姿勢のままで前方から進入させることができるようになっている。そして、進入させた後は、左右のネック部支持片３１ａ，３１ｂがネック部３５ａの環状突部３５ｂを下から支持することによって、飲料用ボトル３５のネック部３５ａを吊り下げ保持するようになっている。なお、ネック部支持片３１ａ，３１ｂ間の奥方は図５に示すように円弧部３１ｄとされている。
【００４８】
給水タンク１６は、可撓性を有するポリエチレン製等のタンクであり、内部にミネラルウォーターや温泉水を貯蔵できるようになっている。図７に示すように、この給水タンク１６の前面下部からはショルダ部１６ａを介してネック部１６ｂが延びている。このネック部１６ｂの先端には取付キャップ２７によって給水コック２８が着脱可能に装備され、この給水コック２８の開閉操作レバー２９を開閉操作することによって、給水コック２８の下端出口から給水とのその停止を行うことができるようになっている。
【００４９】
この給水タンク１６の、取付キャップ２７との間のネック部１６ｂを、ネック保持部４の装着部１９に装着保持するようになっている。
【００５０】
次に、以上のように構成された本考案に係る給水タンク用スタンド１の作用について説明する。本考案に係る給水タンク用スタンド１を用いて給水をするには、まず、上板３の上に給水タンク１６を載せて装着する。本実施形態では、給水タンク１６を給水タンク収容ケース１７に収容したものを使用する。
【００５１】
給水タンク入りの収容ケース１７を上板３に載せて装着し、給水タンク１６のネック部１６ｂをネック部保持部４の装着部１９に動かないように装着保持させる。このとき、前傾姿勢保持手段５の支持軸２０の掛止バー２４は、支持部材給水タンク１６内の水が一杯のときあるいは水位が十分あるときは、掛止板２５の最下段の第１掛止部２５ａに位置させ、上板３は水平姿勢のままでよい。
【００５２】
給水タンク入りの収容ケース１７は、上板３の四方の前板１４ａ，側板１４ｂ，後板１４ｃによって周囲が囲まれ、上板３からのずれが防止される。給水コック２８の開閉操作レバー２９を開操作すると、給水コック２８の出口から水が勢いよく出る。レバー２９を閉操作すると、給水が止まる。
【００５３】
給水タンク１６内の水が少なくなり、水位が低下して、給水コック２８の出口からの水の勢いが弱まったら、上板３を前傾姿勢に変更する。一旦手で上板３を収容ケース１７とともに所望だけ前傾させて、その状態で前傾姿勢保持手段５の支持軸２０の掛止バー２４を軸回りに回動して第1掛止部２５ａから一旦外し、その上の第２掛止部２５ｂに掛止する。手を離すと、上板３は収容ケース１７とともに傾斜角度１０度の前傾姿勢に保持される。上板３の前傾姿勢は前傾姿勢保持手段５によって保持されるとともに、給水タンク１６のネック部１６ｂがネック部保持部４によって保持されるから、給水タンク入りの収容ケース１７の前傾姿勢は安定したままである。給水タンク１６内の水の水位が上昇して、給水コック２８の出口から吐出する水の勢いが再び増す。
【００５４】
給水タンク１６内の水がさらに少なくなり、再び給水コック２８の出口からの水の勢いが弱まったら、手で上板３を収容ケース１７とともにさらに前傾させ、その状態で支持軸２０の掛止バー２４を軸回りに回動して第２掛止部２５ｂから外し、その上の第３掛止部２５ｃに掛止する。手を離すと、上板３は収容ケース１７とともに傾斜角度２０度の前傾姿勢に保持される。図８は傾斜角度２０度の前傾姿勢を示している。２０度の傾斜角度においても、上板３の前傾姿勢が前傾姿勢保持手段５によって保持されるとともに、給水タンク１６のネック部１６ｂがネック部保持部４によって保持されるから、姿勢は安定したままである。給水タンク１６内の水は水位が上昇し、給水コック２８の出口から吐出する水の勢いが再び増す。
【００５５】
上板３の前傾姿勢は、掛止バー２４を第４掛止部２５ｄに掛止することによって傾斜角度２５度まで設定することが可能であり、上板３を２５度まで傾斜させることによって、給水タンク１６内の水をほぼ最後まで効率よく使い切ることができる。
【００５６】
図９は、給水タンク１６の水を飲料用ボトル３５に移し替える作業を示している。まず、吊り下げ手段３０の支持部材３１を図６の矢印Ａ方向に回動させて水平姿勢とし、さらに図５の矢印Ｂ方向にスライドさせて、支持部材３１をストッパー３４の掛止部３４ｂに掛止する。
【００５７】
この状態で、飲料用ボトル３５のネック部３５ａを上向き姿勢で前方から第２のネック部保持手段３０のネック部支持片３１ａ，３１ｂ間に進入させ、ネック部３５ａの環状突起３５ｂをネック部支持片３１ａ，３１ｂによって下方から支持する。これにより飲料用ボトル３５が給水コック２８の下方に吊り下げられる。飲料用ボトル３５は、ボトルの頭部３５ｃの口が丁度給水コック２８の下端出口の真下にくるように位置させる。この状態で、給水コック２８の開閉操作用レバー２９を開操作すると、給水タンク１６の水が給水コック２８の出口から飲料用ボトル３５に給水される。
【００５８】
飲料用ボトル３５を吊り下げ手段３０のネック部保持片３１ａ，３１ｂにセットする簡単な作業で、給水タンク１６からの水を飲料用ボトル３５に移し替えたり、小分けしたりするという使い方ができ、使い勝手が向上する。
【００５９】
上記の実施形態においては、上板３の上面周囲に前板１４ａ，側板１４ｂ，後板１４ｃを立設するようにしたが、後板１４ｃ又は側板１４ｂはなくてもよい。
【００６０】
また、上記の実施形態においては、ゴム製のキャスター以外の構成部材または構成部品をすべてステンレス材料で製作することができる。ステンレス材料であれば錆に強く、たとえば屋外使用にも好適である。
【産業上の利用可能性】
【００６１】
本考案の給水タンク用スタンドは、店舗や一般家庭の他、屋外のキャンプ場などに設置して使用することができる。
【図面の簡単な説明】
【００６２】
【図１】本考案に係る給水タンク用スタンドの全体斜視図、
【図２】給水タンク用スタンドの全体正面図、
【図３】給水タンク用スタンドの前傾保持手段を示す要部側面図、
【図４】前傾保持手段を示す要部説明図、
【図５】給水タンク用スタンドの吊り下げ手段を示す要部側面図、
【図６】吊り下げ手段の作用を示す説明図、
【図７】給水タンクを上板とともに水平姿勢に保持した状態を示す側面図、
【図８】給水タンクを上板とともに前傾姿勢に保持した状態を示す側面図、
【図９】吊り下げ手段の使用状態を示す側面図である。
【符号の説明】
【００６３】
１  給水タンク用スタンド
２  スタンド本体
３  上板
４  ネック部保持部（ネック部保持手段）
５  前傾姿勢保持手段
６  上枠部
７  下枠部
８  支柱
９  棚板
１０  キャスター支持部取付板
１１  キャスター支持部
１２  キャスター
１３  ストッパー
１４ａ  前板
１４ｂ  側板
１４ｃ  後板
１５  蝶番
１６  給水タンク
１７  給水タンク収容ケース
１８  板状体
１９  装着部
２０  支持軸
２１，２２  軸受板
２１ａ，２２ａ  孔
２３  補強部材（ブラケット）
２４  掛止バー
２５  掛止板
２５ａ，２５ｂ，２５ｃ，２５ｄ  掛止部
２６  抜け止め用リング
２７  取付キャップ
２８  給水コック
２９  開閉操作レバー
３０  吊り下げ手段
３１  支持部材
３１ａ，３１ｂ  ネック部支持片
３１ｃ  後端部
３１ｄ  円弧部
３２  回動軸
３３ａ，３３ｂ  軸受板
３４  ストッパー
３４ａ  取付部
３４ｂ  掛止部
３５  飲料用ボトル（別容器）
３５ａ  ネック部
３５ｂ  環状突起部
３５ｃ  頭部
Ｓ  隙間
【図１】
0003109534.tif 000003
【図２】
0003109534.tif 000004
【図３】
0003109534.tif 000005
【図４】
0003109534.tif 000006
【図５】
0003109534.tif 000007
【図６】
0003109534.tif 000008
【図７】
0003109534.tif 000009
【図８】
0003109534.tif 000010
【図９】
0003109534.tif 000011